(57)【特許請求の範囲】
【請求項１】
１個の電話番号を記憶できるカード形記憶媒体のカードリーダを備えた電話端末装置において、
前記カード形記憶媒体であるカードが未登録カードであるか否かまたは電話番号の変更を指示されたか否かを検出する手段と、
前面パネル上に設けられ、前記カードが未登録カードである場合または電話番号の変更を指示された場合、電話番号の登録手順を表示する表示手段と、
前記登録手順に従って操作がされた場合に、前記前面パネル上のダイヤルキーから入力された電話番号を度数情報が記録されているカードに登録する手段と、
該カードに登録された電話番号を読取り、自動的にダイヤルする手段と、
通話中に、通話相手との料金表に従って前記度数情報を引き落とす手段と、
前記度数情報の引き落とし時に、前記表示手段に表示する言語を指定する言語表示情報および通話の音量を調整する音量調整情報の少なくとも一方を前記カードに登録するようにしたことを特徴とする電話端末装置。
【請求項２】
請求項１記載の電話端末装置において、
前記表示手段に表示する言語を指定することのできる言語表示情報指示手段を具備したことを特徴とする電話端末装置。
【請求項３】
請求項１記載の電話端末装置において、
通話の音量を調整する音量調整手段を具備したことを特徴とする電話端末装置。
【請求項４】
請求項１記載の電話端末装置において、
前記カードを用いて発信した時に、前記表示手段は前記カードに登録されている言語で表示するようにしたことを特徴とする電話端末装置。
【発明の詳細な説明】
【０００１】
【発明の属する技術分野】
この発明は電話端末装置に関し、特に交換機に何らの負担をかけることなく、任意の相手に自動ダイヤルできるようにした電話端末装置に関する。
【０００２】
【従来の技術】
従来から、発呼者が直接ダイヤリングすることなく、電話回線を介して相手を呼び出せるようにした電話通信システムの開発が進められている。その一つに音声ダイヤリングシステムがある。このシステムは、発呼者が交換局に設けられている音声ダイヤリングサービスの電話番号を、ダイヤルボタンを操作したりあるいは予め該電話番号が記録されているカードを電話機のカードリーダで読み出したりすることにより発呼して、交換局の音声ダイヤリングサービスを呼び出し、発呼者が予め交換局に登録されている相手の呼び名を発声することにより、交換局が自動的に相手の電話番号をダイヤリングするようにしたものである。
【０００３】
また、他の先行技術としては、特開平６−２１６９８３号公報に開示されているものがある。この先行技術は、ＩＣカードを用いて座席予約を行うシステムにおいて、センタ端末の電話番号に変更があった場合に、ＩＣカードの発行時に該ＩＣカードに記録されているセンタ電話番号を、ＩＣカードを回収して変更処理をしたりあるいはＩＣカードを再発行したりすることなく、公衆電話回線に接続されたＩＣカード端末にて新たなセンタ番号に変更することができるようにしたものである。具体的には、ＩＣカード端末の表示器に表示されたサービス番号以外の予め定められた番号が利用者によって入力された時に、ＩＣカードのセンタ電話番号の更新手続きが実行されるようにしている。
【０００４】
【発明が解決しようとする課題】
しかしながら、前記した音声ダイヤリングサービスにおいては、交換局に、音声認識装置や、発呼者の発声による通信相手の呼び名と該通信相手の全桁の電話番号との対応を示すテーブル等を新たに用意しなければならず、該サービスは交換局に新たな設備を付加しないと実現することができないという問題があった。
【０００５】
また、後者のセンタ端末の電話番号を変更するシステムにおいては、ＩＣカードを用いてセンタ端末を呼び出し、座席の予約等をすることはできるが、発呼者の課金負担で、該ＩＣカードを用いて任意の通信相手と通信することができないという問題があった。
【０００６】
この発明の目的は、前記した従来技術の問題点を除去し、交換局に何らの設備を付加することなく、また自動ダイヤルで任意の通信相手を呼び出し通信相手と会話をすることのできる公衆電話機等の電話端末装置を提供することにある。他の目的は、予め度数情報が記録されているカードに任意の通信相手の電話番号を登録できるようにすることにより、ダイヤル操作をすることなく、簡単に相手を呼び出せ、また発呼者側の課金負担で会話をすることのできる公衆電話機等の電話端末装置を提供することにある。
【０００７】
【課題を解決するための手段】
前記目的を達成するために、本発明は、１個の電話番号を記憶できるカード形記憶媒体のカードリーダを備えた電話端末装置において、前記カード形記憶媒体であるカードが未登録カードであるか否かまたは電話番号の変更を指示されたか否かを検出する手段と、前面パネル上に設けられ、前記カードが未登録カードである場合または電話番号の変更を指示された場合、電話番号の登録手順を表示する表示手段と、前記登録手順に従って操作がされた場合に、前記前面パネル上のダイヤルキーから入力された電話番号を度数情報が記録されているカードに登録する手段と、該カードに登録された電話番号を読取り、自動的にダイヤルする手段と、通話中に、通話相手との料金表に従って前記度数情報を引き落とす手段と、前記度数情報の引き落とし時に、前記表示手段に表示する言語を指定する言語表示情報および通話の音量を調整する音量調整情報の少なくとも一方を前記カードに登録するようにした点に発明の特徴がある。
【０００８】
また、本発明は、言語表示情報指示手段あるいは音量調整手段をさらに具備し、前記度数情報の引き落とし時に、前記表示手段に表示する言語を指定する言語表示情報および通話の音量を調整する音量調整情報の少なくとも一方を前記カードに登録するようにした点に特徴がある。この発明によれば、カードに通話条件のデータが格納されているので、発信動作をした時にカードから前記通話条件が読み出され、電話端末装置の設定が前回の通話時と同じ状態になる。このため、発信動作をする度に通話条件の設定をする必要がなくなり、操作性の良好な電話端末装置を提供することができる。
【０００９】
【発明の実施の形態】
以下に、図面を参照して、本発明を詳細に説明する。図１は、本発明の一実施形態の電話端末装置の構成を示すブロック図である。
【００１０】
図において、１は受話部（レシーバ）１ａ、送話部（マイク）１ｂからなる送受話器、２はスピーチ回路、３はＰＢ信号のダイヤラ回路、４は電源回路、５はフックスイッチ・ＤＰ送出回路、６は通信相手の応答を検知する極性反転検出回路、７は着信検出回路、Ｌ1 、Ｌ2 は公衆電話回線に接続される端子であり、これらは周知の構成であるので、詳細な説明は省略する。また、８は液晶表示部（ＬＣＤ）、９はカードリーダ、１０はダイヤルキー、１１は機能キー、１２はフックスイッチ、１４はＲＯＭ１４ａ、ＲＡＭ１４ｂからなるメモリ、１５は時計、１６は該電話端末装置の前記した各構成要素の動作を制御する制御回路である。
【００１１】
図２は、該電話端末装置の前面パネルの概略の構成を示す正面図である。図において、１１ａ〜１１ｅは前記機能キー１１を示し、具体的には、リダイヤルボタン１１ａ、フォローオンボタン１１ｂ、言語選択ボタン１１ｃ、音量調整ボタン１１ｄ、カード交換ボタン１１ｅから構成されている。なお、他の符号は、図１と同一または同等物を示す。本実施例では、前記言語選択ボタン１１ｃから、英語、スペイン語、ポルトガル語、日本語の４ケ国語の選択が可能であるが、これに限定されるものではない。また、音量調整ボタン１１ｄからは、０〜９ｄＢの選択ができるが、これに限定されるものではない。
【００１２】
図３は、前記カードリーダに挿入されるカード（例えば、ＩＣカード）の内部の記憶エリアの一例を説明する図であり、該カードの内部には、製造者エリア、アプリケーションエリア、カウンターエリアおよび自由利用エリアの４つのエリアが設けられている。前記製造者エリアには、チップ製造者コードとカード製造者コードが記憶され、アプリケーションエリアには、カード発行者コード、シリアルナンバーおよび暗号化情報が記憶されている。利用者は特定のカード発行者から、度数に応じた料金で、該カードを購買することができる。また、カウンターエリアには、該カードの度数情報が記憶される。自由利用エリアには、利用者が入力した通信相手先の電話番号、言語表示情報、音量調整情報などが記憶される。なお、本実施形態では、カードに登録される通信相手先の電話番号は１個であるとしているが、本発明はこれに限定されるものではない。また、ＩＣカードに限定されず、磁気カード等を用いてもよい。
【００１３】
次に、図４〜図８を参照して、本実施例の動作を説明する。この動作は、制御回路１６が、前記メモリ１４に格納されている制御プログラムを基にして動作することにより進行し、この進行過程において、該制御回路１６は、適宜、カードリーダ９、ダイヤルキー１０、機能キー１１およびフックスイッチ１２から入力される制御データを取込みあるいは前記メモリ１４から指示される表示データを液晶表示部８に表示する。以下では、該液晶表示部８の表示データを織り込みながら、制御回路１６の動作を説明する。
【００１４】
まず、電話端末装置の送受話器１がオフフックされたかどうか（ステップＳ１）の判断がなされる。ステップＳ１の判断が肯定になった時にはステップＳ２に進み、液晶表示部８に、"INSERT YOUR CARD""BELOW" と英文で表示される。次に、ステップＳ３でカードリーダ９にカードが挿入れたか否かの判断をし、この判断が肯定になると、ステップＳ４に進んで、"PLEASE WAIT" と英語で表示される。  ステップＳ５では挿入されたカードが正常なカードであるか否かの判断がなされ、正常の場合には、ステップＳ６に進んで、カードにプリペイドされた通話料金の度数が残っているか否かの判断がなされる。前記ステップＳ５にて、異常カードであると判断された時に，ステップＳ７に進みカード抜き忘れブザーが鳴音する。そして、ステップＳ８では、カードは使用できないからオンフックするようにという趣旨の英語表示がなされる。また、ステップＳ６の判断により、残りの通話料金の度数が０の場合には、ステップＳ９に進んでブザーが鳴音し、ステップＳ１０では残度数がないからオンフックするようにという趣旨の英語表示がなされる。続いて、ステップＳ１１では、カードを抜いて下さいという意味の英語表示がなされる。本実施形態では、以上の表示は常に英語で行われるように設定されているが、これに限定されるものではない。
【００１５】
図５のステップＳ１２では、カード内に通信相手先の電話番号や後述する言語表示情報、音量調整情報等のカード内情報が記憶されているか否かの判断がなされる。この判断が肯定の場合にはステップＳ１３に進む。前記言語表示情報が日本語と指定されている場合には、「×××ドスウ」「００１カラダイヤルシテクダサイ」と日本語で表示される。なお、前記「×××」は残っている度数の具体的な数値に相当する。前記ステップＳ１２の判断が否定の時には、ステップＳ１４に進み、言語表示の指定がないから、前記と同趣旨の内容が英語で表示される。
【００１６】
ステップＳ１５ではオンフックされたか否かの判断がなされ、この判断が否定の時にはステップＳ１６に進み、肯定の時には図６のステップＳ３４に進む。ステップＳ１６では、利用者がダイヤル入力をしたか否かの判断がなされ、この判断が肯定になるとステップＳ１７に進んで、該ダイヤル入力の先頭が“＃”キーであったか否かの判断がなされる。この判断が肯定の時には、ステップＳ１８以下のカード内に通信相手先の電話番号を登録する動作、既登録の通信相手先の電話番号を変更する動作あるいは自動ダイヤル動作に移る。
【００１７】
ステップＳ１８では、前記カードが登録済みのカードであるか否かの判断がなされ、この判断が肯定の時には、ステップＳ１９に進み、登録済みの通信相手の電話番号「００１１２１２×××××××」および「ダイヤルハ＃、ヘンコウハ＊」と表示される。ステップＳ２０では、押下されたボタンが、＃、＊、あるいはフォローオンボタンのいずれであるかの判断がなされる。この押下されたボタンが＃の場合には、図６のステップＳ２６に進んで、自動ダイヤルの動作に進む。一方、＊の場合にはステップＳ２１に進み、「バンゴウヲダイヤルシテクダサイ」と表示される。また、前記ステップＳ１８の判断が否定の時、すなわち、カードが新しいカード（未登録カード）の場合にも、ステップＳ２１に進む。
【００１８】
ステップＳ２２では、ダイヤルされたか否かの判断がなされ、この判断が肯定になると、ステップＳ２３に進んで、「サイゴニ＃ヲオシテクダサイ」と表示される。また、ダイヤルされた番号が表示される。ステップＳ２４では、＃がおされたか否かの判断がなされ、この判断が肯定になると、ステップＳ２５に進んで、「トウロクシテイマス。シバラクオマチクダサイ」と表示される。すなわち、カードが新しいものである場合には該カードに通信相手先の電話番号が登録され、既登録のものであった場合には該カードの通信相手先の電話番号の変更が行われる。なお、フォローオンボタンはキャンセル機能をもつボタンであるので、ステップＳ２０で該フォローオンボタンが押されると、ステップＳ１３に戻る。
【００１９】
前記ステップＳ１７にて先頭のダイヤルデータが＃でなく０〜９の数字の場合には、図６のステップＳ２６に進み、通常のダイヤリングによる発呼動作に進む。一方、前記ステップＳ２０で＃キーが押されてステップＳ２６に進んだ場合には、自動ダイヤルの動作に移る。該ステップＳ２６では、残存している度数の表示と、手入力されたダイヤルデータ、あるいはカードから読み出されたダイヤルデータが表示される。ステップＳ２７では、オンフックされたか否かの判断がなされ、この判断が否定の時には、ステップＳ２８に進んで、通信相手先の電話番号に間違いがないかどうかの判断がなされる。この判断は、例えばＫＤＤを経由して国際通話を行う場合には、番号の先頭に「００１」が付いているかどうか、また、国番号や地域番号が実在する番号であるか否か等により判断される。
【００２０】
通信相手先の電話番号が正しいと判断されると、ステップＳ２９に進み、カードの度数が残っているか否かの判断がなされる。該ステップＳ２９の判断が肯定の時には、ステップＳ３０に進み、「オツナギシテイマス。オマチクダサイ」と表示される。次いで、ステップＳ３１に進み、オンフックされたか否かの判断がなされ、この判断が否定の時には図７のステップＳ３６に進む。そして、相手との会話へと進行する。一方、前記ステップＳ２８の判断が否定の時、あるいは前記ステップＳ２９の判断が否定の時には、それぞれ、ステップＳ３２あるいはステップＳ３３に進み、それぞれ「ダイヤルガマチガッテイマス。オタシカメクダサイ」あるいは「ノコリドスウガフソクシテイマス」と表示される。ステップＳ３４では、抜き忘れブザーが鳴音し、ステップＳ３５では「カードヲヌイテクダサイ」と表示される。
【００２１】
次に、図７のステップＳ３６に進むと、相手が応答をし、会話が開始される。ステップＳ３７では、残度数が表示される。ステップＳ３８では、相手番号に応じた時間間隔で、度数が引き落とされる。この度数が引き落とされる時に、前記言語選択ボタン１１ｃ、音量調整ボタン１１ｄ（図２参照）から入力されている言語表示および音量調整情報がカードに書き込まれる。ステップＳ３９では、オンフックされたか否かの判断がなされ、この判断が否定の時には、ステップＳ４０に進み、通話可能な残り時間が例えば４５秒以下になったか否かの判断がなされる。この判断が否定の時にはステップＳ３７に戻って、相手との会話が続行される。会話が続行された結果ステップＳ４０の判断が肯定になると、ステップＳ４１に進み、時間切れの警告音が送出される。なお、ステップＳ４０の４５秒は一例であり、これに限定されるものではない。
【００２２】
ステップＳ４２では、「ツウワヲケイゾクサレマスカ」という表示がなされる。ステップＳ４３では、カード交換ボタン１１ｅが押下されたか否かの判断がなされ、押下された時にはステップＳ４４に進んで「オマチクダサイ」という表示がされる。ステップＳ４３の判断が否定の時には、ステップＳ４５に進んで、通話可能時間が０になったか否かの判断がなされ、この判断が肯定になると前記ステップＳ３４以下の処理が行われる。
【００２３】
図８のステップＳ４６に進むと、カード内情報、すなわち通信相手の電話番号、言語表示情報、音量調整情報等は、一旦装置の内部メモリ、例えばＲＡＭ１４ｂ（図１参照）に記憶される。次に、ステップＳ４７にて、カードの残度数を０にし、秘密保持のためにカード内情報を消去する処理が行われる。ステップＳ４８では、「カードヲヌイテクダサイ」の表示がなされ、ステップＳ４９でカードが抜かれると、ステップＳ５０に進んで、「カードヲイレテクダサイ」と表示される。ステップＳ５１で、新カードが挿入されたと判定されると、ステップＳ５２で、「オマチクダサイ」の表示がされ、ステップＳ５３で、新カードが正常カードであるか異常カードであるかの判断がなされる。正常カードであると判定されると、ステップＳ５４に進み、前記ステップＳ４６で内部メモリに記憶されていたカード情報が新カードに書き込まれる。ステップＳ５５では、新カードの度数が表示され、ステップＳ３８に戻る。そして、通話相手との会話が続行される。
【００２４】
【発明の効果】
以上の説明から明らかなように、本発明によれば、交換局に何らの変更を加えることなく、電話端末装置に新たな機能を追加するだけで、任意の相手先に自動ダイヤルをすることができる。また、通話料金の度数が記録されたカードに、任意の相手先の電話番号を記録し、これを読み出して自動的に発信することができるので、発呼者側の課金負担で通話を行うことができる。このため、操作性に優れた電話端末装置を提供することができる。また、表示手段に表示する言語を指定する言語表示情報、通話の音量を調整する音量調整情報等の通話条件を、カードに登録することができるので、発信の度に通話条件を設定することが不要となり、この点においても、操作性に優れた電話端末装置を提供することができる。
【００２５】
なお、前記実施形態の説明は、国際電話を念頭においてなされたが、本発明はこれに限定されることなく、国内電話にも適用できることは勿論である。
【図面の簡単な説明】
【図１】  本発明の一実施形態の構成を示すブロック図である。
【図２】  本発明の一実施形態の電話端末装置の前面パネルの構成を示す正面図である。
【図３】  カードの記憶領域の概念図である。
【図４】  本実施形態の動作の一例を示すフローチャートである。
【図５】  図４の続きのフローチャートである。
【図６】  図５の続きのフローチャートである。
【図７】  図６の続きのフローチャートである。
【図８】  図７の続きのフローチャートである。
【符号の説明】
１…送受話器、２…スピーチ回路、３…ＰＢ信号のダイヤラ回路、４…電源回路、５…フックスイッチ・ＤＰ送出回路、６…極性反転検出回路、７…着信検出回路、８…液晶表示部（ＬＣＤ）、９…ＩＣカードリーダ、１０…ダイヤルキー、１１…機能キー、１２…フックスイッチ、１４…メモリ、１５…時計、１６…制御回路。
【図１】
0003695547.tif 000002
【図２】
0003695547.tif 000003
【図３】
0003695547.tif 000004
【図４】
0003695547.tif 000005
【図５】
0003695547.tif 000006
【図６】
0003695547.tif 000007
【図７】
0003695547.tif 000008
【図８】
0003695547.tif 000009